(57)【特許請求の範囲】
【請求項１】
カメラ本体の後端部に操作部を有するビデオカメラ装置において、
前記操作部の操作パネルに設けられる操作用機器全体を挟むように前記操作パネルに配置される一対のタリー表示器であって、各タリー表示器の少なくとも一端部が前記操作パネルから外方に突出されている一対のタリー表示器を備える、ビデオカメラ装置。
【請求項２】
前記一対のタリー表示器は、互いに対向して前記操作パネルの上下方向に延びている、請求項１に記載のビデオカメラ装置。
【請求項３】
前記一対のタリー表示器は、互いに対向して前記操作パネルの幅方向に延びている、請求項１に記載のビデオカメラ装置。
【請求項４】
前記一対のタリー表示器のそれぞれは、
前記カメラ本体内にて前記操作パネルと離間して対向配置されると共にＬＥＤ素子を有するＬＥＤ基板と、
前記ＬＥＤ素子から発光された光を前記一端部の方向に導く第１導光部材と、
前記第１導光部材からの光が入射されて発光し、前記一端部を構成する第２導光部材と、
を含む、請求項１〜３のいずれか一つに記載のビデオカメラ装置。
【請求項５】
前記第２導光部材は、所定厚みを有して形成され、
前記第２導光部材における前記一端部に対応する突出部位をその板厚方向の両側面側から挟んで保護する保護部材であって、前記突出部位において、その幅方向の各側面の一部と前記板厚方向の各側面の一部とをそれぞれ外部に露出可能に形成される保護部材を、更に備える、請求項４に記載のビデオカメラ装置。
【請求項６】
前記第１導光部材は、前記ＬＥＤ基板と当接すると共に前記ＬＥＤ素子を覆う基端部と、前記基端部のＬＥＤ素子被覆部位から操作パネル側に向って延出する延出部とを有して形成され、
前記第２導光部材は、前記延出部の幅方向両側面に当接して該延出部と嵌合する共に、その第１導光部材側端部が前記基端部と当接して締結されている、請求項５に記載のビデオカメラ装置。
【請求項７】
前記第１導光部材の光透過率は、前記第２導光部材の光透過率より高い、請求項４〜６のいずれか一つに記載のビデオカメラ装置。
【発明の詳細な説明】
【技術分野】
【０００１】
本発明は、カメラ本体にタリー表示器を備えたビデオカメラ装置に関する。
【背景技術】
【０００２】
テレビ局のスタジオ等においては、例えば、複数台のビデオカメラ装置が設けられている。これら複数台のビデオカメラ装置による撮影において、ディレクター等は、調整室等に備えられるスイッチャーを操作することにより、放送用映像を出力する特定のビデオカメラ装置を適宜に選択して映像を順次切替えている。また、各ビデオカメラ装置には、前記スイッチャーからの信号（タリー信号）に従って点灯するタリー表示器（タリーランプともいう）が備えられている。演者、カメラ操作者及びカメラアシスタントは、このタリー表示器の点灯状態を視認することにより、ビデオカメラ装置の運用状態を確認している。このタリー表示器は、ビデオカメラ装置の前部、ビューファインダ、及び、ビデオカメラ装置（カメラ本体）の後部に備えられている。演者は前部のタリー表示器を視認し、カメラ操作者は主にビューファインダ内のタリー表示器を視認し、カメラアシスタントは主に後部のタリー表示器を視認することにより、ビデオカメラ装置の運用状態を確認している。
【０００３】
この種のビデオカメラ装置としては、例えば、特許文献１に記載されたビデオカメラ装置が知られている。この特許文献１に記載されたビデオカメラ装置では、ケーブル等の接続用の接続部がカメラ本体の後部に突設されており、カメラアシスタント視認用のタリー表示器はカメラ本体の後部における前記接続部の下方の部位に設けられている。
【先行技術文献】
【特許文献】
【０００４】
【特許文献１】実開平０４−６７８７１号公報
【発明の概要】
【発明が解決しようとする課題】
【０００５】
しかしながら、特許文献１に記載された従来のビデオカメラ装置では、カメラ本体の後部のタリー表示器は、カメラ本体の後部にこの後部の端面と面一に埋め込まれている上、その上部にケーブル等の接続用の前記接続部が突設されている。このため、例えば、カメラ操作者が上下左右に移動してビデオカメラ装置を移動させて撮影する際に、前記接続部が邪魔になり、カメラ本体の後方で作業するカメラアシスタントがタリー表示器を視認できない場合があり、その工夫が求められている。
【０００６】
本発明は上記問題点に着目してなされたもので、カメラ本体の後部のタリー表示器の視認性を向上させたビデオカメラ装置を提供することを目的とする。
【課題を解決するための手段】
【０００７】
本発明の一側面によるビデオカメラ装置は、カメラ本体の後端部に操作部を有する。前記ビデオカメラ装置は、前記操作部の操作パネルに設けられる操作用機器全体を挟むように前記操作パネルに配置される一対のタリー表示器であって、各タリー表示器の少なくとも一端部が前記操作パネルから外方に突出されている一対のタリー表示器を備える。
【発明の効果】
【０００８】
前記一側面によるビデオカメラ装置によれば、一対のタリー表示器はカメラ本体の後端部の操作部にて、各タリー表示器の少なくとも一端部が操作部の操作パネルから外方に突出するように配置されている。つまり、カメラ本体の後端部からさらに後方に突出するようにタリー表示器が配置されている。そのため、カメラ操作者が上下左右に移動して、ビデオカメラ装置がカメラアシスタントの目線に対して上下左右に移動したとしても、カメラアシスタントは確実にタリー表示器を視認することができる。
また、一対のタリー表示器は、前記操作パネルに設けられる操作用機器全体を挟むように操作パネルに突出して配置されている。そのため、カメラアシスタントが操作部近傍でアシストしている際に、カメラ操作者が予期せぬ方向に移動等することにより、カメラアシスタントや操作部近傍に位置する物体等が操作部に接触し、操作用機器の誤操作や操作用機器の破損等の不具合が生じることを防止又は抑制することができる。したがって、一対のタリー表示器を操作部の誤操作及び破損防止用の部材として機能させることもできる。
【０００９】
これにより、カメラ本体の後部のタリー表示器の視認性を向上させたビデオカメラ装置を提供することができる。
【図面の簡単な説明】
【００１０】
【図１】本発明の一実施形態によるビデオカメラ装置の斜視図である。
【図２】前記ビデオカメラ装置を別の角度から視た斜視図である。
【図３】前記ビデオカメラ装置を後方から視た背面図である。
【図４】前記ビデオカメラ装置の後部の部分側面図である。
【図５】前記ビデオカメラ装置の操作部の斜視図である。
【図６】前記操作部の正面図である。
【図７】前記操作部の上面図である。
【図８】前記操作部の下面図である。
【図９】前記操作部の右側面図である。
【図１０】前記操作部の左側面図である。
【図１１】前記ビデオカメラ装置のタリー表示器の要部組立図である。
【図１２】前記タリー表示器の要部の分解斜視図である。
【図１３】前記タリー表示器の要部の別の角度から視た分解斜視図である。
【発明を実施するための形態】
【００１１】
以下、本発明の実施形態を図面に基づいて説明する。
図１及び図２は、本発明の一実施形態によるビデオカメラ装置の全体を示し、図１は後方の斜め上方から視た斜視図であり、図２は後方の斜め下方から視た斜視図である。図３は、ビデオカメラ装置を後方から視た背面図である。
なお、以下では、ビデオカメラ装置１００について、前後・左右・上下を、各図に示すように便宜上規定して、説明する。なお、前後は後述のレンズ部１側を前とし、左右はビデオカメラ装置１００の後方から視たときの方向を示している。
【００１２】
本実施形態において、ビデオカメラ装置１００は、図１及び図２に示すように、レンズ部１と、カメラ本体２とを含んで構成され、テレビ局等のスタジオにおいて使用されているものとする。なお、このスタジオには、ビデオカメラ装置１００と同じ構成のビデオカメラ装置が複数台設置され、図示を省略したケーブルを介して調整室等に備えられるスイッチャー等とそれぞれ接続されているものとする。
【００１３】
前記レンズ部１は、カメラ本体２の前端部に設けられたレンズマウントを介してカメラ本体２に接続されている。レンズ部１の胴部にはズームスイッチ等が設けられたグリップ部３（図２参照）が設けられている。
【００１４】
前記カメラ本体２は、レンズ部１を介して入力される映像と図示省略したマイク部を介して入力される音声を電気信号に変換して外部に出力するものであり、センサユニット４とメインユニット５とを備えて構成されている。また、カメラ本体２は、レンズ部１の前後方向に延びる光軸に対して垂直な断面視で概ね矩形筒状の断面を有し、その内部空間に各種機器が備えられている。
【００１５】
前記センサユニット４は、その内部にＣＣＤ等の撮像素子を備え、レンズ部１を通じて入射される光を受光して電気信号に変換し、その信号を、例えば、カメラ本体２内に設けられる映像処理用回路に出力するものである。センサユニット４の前端部にはレンズマウントが設けられ、センサユニット４の後端部はメインユニット５の前端部に接続される。また、センサユニット４の上面には、把持部６が設けられている。この把持部６には、その前端部に設けられる固定部７を介して、ビューファインダ８が取り付けられている。
【００１６】
前記メインユニット５は、その内部に映像処理用回路基板、音声処理用回路基板及びパワーユニット等の各種機器を備え、映像信号及び音声信号を外部に出力する本体となるものである。
【００１７】
メインユニット５は、支持部５１と、上側壁部５２と、左側壁部５３と、右側壁部５４と、後側壁部５５とがボルト等の適宜の締結手段により締結されて概ね矩形筒状の断面を有した箱体を構成している。
【００１８】
前記支持部５１は、カメラ本体２の底部をなすものであり、前後方向に延出すると共にメインユニット５の前端部より前方に突出し、その突出した部位の上面にセンサユニット４が載置されて固定されている。支持部５１の底面には、図２に示すように、カメラ操作者等の肩の形状に合わせた溝が形成されている。
【００１９】
前記上側壁部５２は、センサユニット４の上面と連続して前後方向に延びている。また、前記左側壁部５３及び前記右側壁部５４は、センサユニット４の両側面と連続して前後方向に延び、その後端部における支持部側（下側）の部位が前方に向かってへこむように段付き形状に形成されている。
【００２０】
前記後側壁部５５は、左側壁部５３の後端部と右側壁部５４の後端部と間に配置される。後側壁部５５は、具体的には、上部パネル５５１、下部パネル５５２、中間パネル５５３とからなり、各パネル５５１、５５２、５５３はそれぞれ平面視で概ね矩形状に形成されている。
【００２１】
図４は、ビデオカメラ装置１００の後部の部分側面図である。
前記上部パネル５５１は、図４に示すように、後側壁部５５における上部の部位となり、例えば、レンズ部１の前記光軸に対して概ね直交するように垂設されるパネル材からなるものである。この上部パネル５５１は、メインユニット５の後端部、つまり、カメラ本体２の後端部となる部位でもあり、カメラ本体２の背面（後側壁部５５）のうちの一番後ろに位置する。この上部パネル５５１には、後述する各種の操作用機器１１が複数設けられている。本実施形態において、この上部パネル５５１が、本発明に係る「操作パネル」に相当する。以下において、上部パネル５５１を操作パネル５５１という。
【００２２】
前記下部パネル５５２は、後側壁部５５における下部の部位となり、下方に向かうにしたがってレンズ部１側に近づくように傾斜して設けられるパネル材からなるものである。この下部パネル５５２には、各種ケーブルが接続される複数のコネクタ部９が設けられている。
【００２３】
前記中間パネル５５３は、操作パネル５５１の下端部と下部パネル５５２の上端部との間を連結し、概ね下方に向くように設けられている。この中間パネル５５３にも、複数のコネクタ部９が設けられている。
【００２４】
ここで、カメラ本体２の後端部（つまり、メインユニット５の後端部）には、操作部１０が設けられている。以下では、この操作部１０について、主に図５〜図１０を参照して詳述する。図５〜図１０は、操作部１０単体の構成を説明するための図であり、図５は斜視図、図６は正面図、図７は上面図、図８は下面図、図９は右側面図、図１０は左側面図である。
【００２５】
前記操作部１０は、図５及び図６に示すように、複数の操作用機器１１と、前述した操作パネル５５１と、第１スイッチ類基板１２と、第２スイッチ類基板１３とを備えて構成されている。この操作部１０は、カメラ本体２の後端部にて適宜に固定されている。
【００２６】
前記複数の操作用機器１１は、トグルスイッチや回転式の切替えスイッチ等の各種の操作用電気部品からなるものであり、図７〜図１０に示すように、それらの操作部位１１ａは操作パネル５５１から突出し、操作部位１１ａの基端部である電気接続部１１ｂは操作パネル５５１を貫通して第１スイッチ類基板１２や第２スイッチ類基板１３にそれぞれ接続されている。
【００２７】
前記第１スイッチ類基板１２は、カメラ本体２内にて操作パネル５５１と離間して対向配置される。前記第２スイッチ類基板１３は、第１スイッチ類基板１２と操作パネル５５１との間に配置され、カメラ本体２内にて操作パネル５５１と離間して対向配置される。操作パネル５５１、第１スイッチ類基板１２及び第２スイッチ類基板１３は、互いに離間して積層されるようにボルト等の適宜の締結手段により締結されている。なお、本実施形態では、第２スイッチ類基板１３は、後述するタリー表示器２０のＬＥＤ基板としての機能も有している。
【００２８】
ここで、ビデオカメラ装置１００は、一対のタリー表示器２０、２０を備えている。
この一対のタリー表示器２０、２０は、図５及び図６に示すように、操作部１０の操作パネル５５１に設けられる操作用機器１１全体（図６で二点鎖線で示す）を挟むように操作パネル５５１に配置され、外部（例えば、スイッチャー等）からのタリー信号に従って点灯、消灯するように構成されている。また、一対のタリー表示器２０、２０は、各タリー表示器２０の少なくとも一端部２０ａが操作パネル５５１から外方（後方）に突出されている。このタリー表示器２０の一端部２０ａの操作パネル５５１からの突出長Ｌ１は、図７及び図８に示すように、複数の操作用機器１１の操作部位１１ａのうち操作パネル５５１から一番長く突出している操作部位１１ａの突出長Ｌ２より長くなるように設定されている。
【００２９】
本実施形態では、一対のタリー表示器２０、２０は、互いに対向して操作パネル５５１の上下方向に延びている。つまり、一対のタリー表示器２０、２０は、操作パネル５５１の左右の両縁部にてその一端部２０ａが後方に突出するように取り付けられている。
【００３０】
各タリー表示器２０の構成について、図９〜図１３を参照して説明する。
図１１は、各タリー表示器２０の要部組立図であり、図１２は各タリー表示器２０の要部の分解斜視図であり、図１３は前記要部の別の角度から視た分解斜視図である。
【００３１】
一対のタリー表示器２０、２０のそれぞれは、ＬＥＤ基板（第２スイッチ類基板１３の一部）と、第１導光部材２１と、第２導光部材２２とを含んで構成されている。
【００３２】
本実施形態では、前記ＬＥＤ基板は、図９及び図１０に示すように、操作部１０の第２スイッチ類基板１３の一部に形成されている。このＬＥＤ基板としての機能をも有する第２スイッチ類基板１３の対応部位には、ＬＥＤ素子２３が取り付けられている。より具体的には、適宜個数（図では一つのタリー表示器２０に対して８個）のＬＥＤ素子２３が、第２スイッチ類基板１３の対応部位における操作パネル５５１側の基板面において、上下方向にアレイ状に配置されている。
【００３３】
本実施形態では、例えば、左側のタリー表示器２０のＬＥＤ素子２３は全て緑色に発光する素子であり、右側のタリー表示器２０のＬＥＤ素子２３は全て赤色に発光する素子である。
【００３４】
前記第１導光部材２１は、ＬＥＤ素子２３から発光された光をタリー表示器２０の一端部２０ａの方向に導く部材であり、例えば、透明なアクリル材からなり、後述するように適宜形状に形成されている。また、本実施形態では、第１導光部材２１の光透過率は、第２導光部材２２の光透過率より高くなるように設定されている。
【００３５】
前記第２導光部材２２は、第１導光部材２１からの光が入射されて発光し、タリー表示器２０の一端部２０ａを構成する部材であり、例えば、乳白色のアクリル製の板材からなり所定厚みを有し、後述するように適宜形状に形成されている。また、本実施形態では、第２導光部材２２の光透過率は、第１導光部材２１の光透過率より低くなるように設定されている。そして、第２導光部材２２は、例えば、入射された光をその出射側で面発光可能に適宜の分散材等が含有されている。第２導光部材２２は、所定厚みを有して板状に形成されている。
【００３６】
また、本実施形態では、第２導光部材２２における前記一端部２０ａに対応する（つまり、一端部２０ａを構成する）突出部位をその板厚方向の両側面側から挟んで保護する保護部材（スイッチガード）２４が、各タリー表示器２０に設けられている。つまり、本実施形態において、前記一端部と前記突出部位は同じ部位を示しており、それぞれ同じ符号（２０ａ）を付して説明する。この保護部材２４は、例えば、黒色の硬質樹脂材料からなり、カメラアシスタントや操作部１０の近傍に位置する物体等が操作用機器１１に接触して誤操作したり、操作用機器１１を破損させたりすることを防止又は抑制する機能と、タリー表示器２０自体（詳しくは第２導光部材２２の突出部位２０ａ）を保護する機能を有する。また、保護部材２４は、第２導光部材２２の突出部位２０ａにおいて、図５〜図１０に示すように、その幅方向（図では上下方向）の各側面の一部２２ａと板厚方向（図では左右方向）の各側面の一部２２ｂとをそれぞれ外部に露出可能に後述するように形成されている。
【００３７】
第１導光部材２１は、具体的には、ＬＥＤ基板としての第２スイッチ類基板１３の一部と当接すると共にＬＥＤ素子２３を覆う基端部２１ａと、基端部２１ａのＬＥＤ素子被覆部位２１ｂから操作パネル側に向って延出する延出部２１ｃとを有して形成されている。
【００３８】
前記基端部２１ａは、図１１〜図１３に示すように、概ね角柱状に形成され、その前側端面の上部及び下部には、第２導光部材２２の後述する脚部２２ｃの端部をガイドする断面コ字状のガイド部２１ｄが延出されている。また、基端部２１ａの上部及び下部には、図１３に示すように、前後方向に貫通するボルト通し孔２１ｅが開口されている。
【００３９】
前記ＬＥＤ素子被覆部位２１ｂは、図１１及び図１３に示すように、基端部２１ａの後側端面に形成された溝部からなるものである。第１導光部材２１がＬＥＤ基板としての第２スイッチ類基板１３の一部に当接した状態で、図９及び図１０に示すように、このＬＥＤ素子被覆部位２１ｂ内に、ＬＥＤ素子２３が収容される。
【００４０】
前記延出部２１ｃは、基端部２１ａの前側端面における上下方向中央部から上下方向に所定幅を有して前方に向かって延出されている。
【００４１】
また、第２導光部材２２は、具体的には、延出部２１ｃの幅方向両側面（図では上下方向両側面）に当接して延出部２１ｃと嵌合する共に、その第１導光部材側の端部（詳しくは後述する脚部２２ｃの端部）が基端部２１ａに当接して締結されている。
【００４２】
より具体的には、第２導光部材２２は、互いに上下方向に離間しつつ前後方向に延びる一対の脚部２２ｃ、２２ｃと、一対の脚部２２ｃ、２２ｃの前側端部の間を連結する連結部２２ｄと、を有する。一対の脚部２２ｃ、２２ｃは、その対向端面を延出部２１ｃの幅方向両側面と当接させつつ、その端部がガイド部２１ｄにガイドされた状態で、基端部２１ａに当接している。各脚部２２ｃの端部には、基端部２１ａのボルト通し孔２１ｅから挿通されるボルト２１ｆ（図９及び図１０参照）と螺合するネジ部２２ｅ（図１３参照）が形成されている。また、連結部２２ｄの上端部の前側の部位は上側の脚部２２ｃの上側面より上方に突出し、連結部２２ｄの下端部の前側の部位は下側の脚部２２ｃの下側面より下方に突出している。本実施形態おいて、この連結部２２ｄが第２導光部材２２の突出部位２０ａ（つまり、タリー表示器２０の一端部２０ａ）となる。
【００４３】
また、保護部材２４は、具体的には、図１２及び図１３に示すように、概ね角柱状の硬質樹脂に溝等を形成して構成されている。
詳しくは、保護部材２４は、上下方向に延び、前端部における幅方向（左右方向）中央部には、上下方向全体に亘って延びる溝部２４ａが形成されている。この溝部２４ａは、第２導光部材２２の板厚に合わせた溝幅を有すると共に、連結部２２ｄの上下方向と同じ上下方向長さを有する。また、この溝部２４ａの溝深さは、連結部２２ｄの上端部及び下端部において脚部２２ｃの上側面及び下側面より上方又は下方に突出させた前記部位の前後方向の長さに合わせて形成されている。この溝部２４ａ内には、連結部２２ｄが組み込まれ、この状態で、突出部位２０ａとしての連結部２２ｄの前端面が外部に露出すると共に、連結部２２ｄの上端部及び下端部（つまり、上下方向の各側面の一部２２ａ）もそれぞれ外部に露出する。また、連結部２２ｄが保護部材２４の前端面より突出することはなく、上下方向にも突出することはない。したがって、第２導光部材２２の突出部位２０ａは保護部材２４により確実に保護されている。また、保護部材２４には、左右方向に貫通すると共に、上下方向に延びる窓孔２４ｂが開口されている。この窓孔２４ｂにより、突出部位２０ａとしての連結部２２ｄの左右方向の各側面の一部２２ｂがそれぞれ外部に露出する。さらに、保護部材２４には、一対の脚部２２ｃ、２２ｃを挿通可能な長穴２４ｃが前後方向に開口されている。そして、保護部材２４の後端面における上端部及び下端部には、操作パネル５５１の後面（背面）側から挿通されるボルト２４ｄ（図９及び図１０参照）と螺合するネジ部２４ｅ（図１３参照）が形成されている。
【００４４】
次に、本実施形態のビデオカメラ装置１００における一対のタリー表示器２０、２０の点灯動作について説明する。
【００４５】
例えば、ビデオカメラ装置１００により撮影されている映像は、他のビデオカメラ装置（例えば、ビデオカメラ装置１００と同じ構成のビデオカメラ装置）による映像と共に、調整室等に設けられるモニター等に表示されている。例えば、ビデオカメラ装置１００の映像が、ディレクター等により次のオンエア用（又は次の記録用）の映像として選択された場合、スイッチャーから出力される第１のタリー信号がビデオカメラ装置１００に入力される。この場合、左側のタリー表示器２０のＬＥＤ素子２３が緑色に発光し、この光は透過率の高い第１導光部材２１内を概ね前後方向に直進するように導かれ、その光の大半が延出部２１ｃの前端面から出射される。そして、延出部２１ｃの前端面から出射された光は、第２導光部材２２の連結部２２ｄの後端面を介して第２導光部材２２内に入射され、主にこの連結部２２ｄ内で分散されて第２連結部２２ｄの外周の端面全体が略均一に面発光することで点灯する。連結部２２ｄは保護部材２４によってその両側面を挟むように覆われている。しかし、保護部材２４の溝部２４ａは上下方向全体に亘って形成されている上、両側面に窓孔２４ｂが形成されているため、タリー表示器２０の点灯状態は、タリー表示器２０の後方、上方、下方、両側方の全方向から視認することができる。これにより、このビデオカメラ装置１００の後方で作業等しているカメラアシスタント等は、このビデオカメラ装置１００がスタンバイの状態であることを確実に認識する。その後、このビデオカメラ装置１００の映像が、ディレクター等によりオンエア用（又は記録用）の映像として選択された場合、スイッチャーからの第２のタリー信号がビデオカメラ装置１００に出力される。この場合、右側のタリー表示器２０は消灯し、左側のタリー表示器２０のＬＥＤ素子２３が赤色に発光する。この赤色のＬＥＤ素子２３からの光は、左側のタリー表示器２０と同様にして、第１導光部材２１及び第２導光部材２２により導光されて、第２導光部材２２を面発光させて点灯する。これにより、カメラアシスタント等は、このビデオカメラ装置１００がオンエア用（又は記録用）の映像を撮影している状態（放送中の状態）であることを確実に認識する。
【００４６】
かかる本実施形態によるビデオカメラ装置１００によれば、一対のタリー表示器２０、２０はカメラ本体２の後端部の操作部１０にて、各タリー表示器２０の少なくとも一端部２０ａが操作部１０の操作パネル５５１から外方に突出するように配置されている。つまり、カメラ本体２の後端部からさらに後方に突出するようにタリー表示器２０が配置されている。そのため、カメラ操作者が上下左右に移動して、ビデオカメラ装置１００がカメラアシスタントの目線に対して上下左右に移動したとしても、カメラアシスタントは確実にタリー表示器２０を確実に視認することができる。
また、一対のタリー表示器２０、２０は、操作パネル５５１に設けられる操作用機器１１全体を挟むように操作パネル５５１に突出して配置されている。そのため、カメラアシスタントが操作部近傍でアシストしている際に、カメラ操作者が予期せぬ方向に移動等することにより、カメラアシスタントや操作部１０の近傍に位置する物体等が操作部１０に接触し、操作用機器１１の誤操作や操作用機器１１の破損等の不具合が生じることを防止又は抑制することができる。したがって、一対のタリー表示器２０、２０を操作部１０の誤操作及び破損防止用の部材として機能させることもできる。
【００４７】
これにより、カメラ本体２の後部のタリー表示器２０、２０の視認性を向上させたビデオカメラ装置１００を提供することができる。
【００４８】
また、本実施形態においては、一対のタリー表示器２０、２０は、互いに対向して操作パネル５５１の上下方向に延びる構成とした。これにより、ビデオカメラ装置１００の左右方向からのタリー表示器２０の視認性を更に高めることができる。
【００４９】
また、本実施形態においては、各タリー表示器２０は、ＬＥＤ素子２３を有するＬＥＤ基板（第２スイッチ類基板１３の一部）に設けられたＬＥＤ素子２３から発光された光を導光する導光部材を、ＬＥＤ基板側の第１導光部材２１と一端部（突出部位）２０ａ側の第２導光部材２２に２分割してなる構成とした。これにより、例えば、導光部材の一端部側（つまり、第２導光部材２２）が仮に破損等したとしても、その部位のみを交換することができる。
【００５０】
また、本実施形態においては、所定厚みを有して形成された第２導光部材２２の突出部位２０ａをその板厚方向の両側面側から挟んで保護する保護部材２４であって、突出部位２０ａにおいて、その幅方向の各側面の一部２２ａと板厚方向の各側面の一部２２ｂとをそれぞれ外部に露出可能に形成される保護部材２４を、更に備える構成とした。これにより、その幅方向（本実施形態では上下方向）の各側面の一部２２ａと、板厚方向（本実施形態では左右方向）の各側面の一部２２ｂとをそれぞれ外部に露出させることができる。その結果、タリー表示器２０の突出部位２０ａを保護部材２４により覆って保護したとしても、カメラアシスタント等により、タリー表示器２０の点灯状態を、タリー表示器２０の後方、上方、下方、両側方の全方向から視認させることができる。
【００５１】
また、本実施形態においては、第１導光部材２１は、ＬＥＤ基板（第２スイッチ類基板１３の一部）と当接すると共にＬＥＤ素子２３を覆う基端部２１ａと、基端部２１ａのＬＥＤ素子被覆部位２１ｂから操作パネル側に向って延出する延出部２１ｃとを有して形成されている。そして、第２導光部材２２は、延出部２１ｃの幅方向両側面に当接して延出部２１ｃと嵌合する共に、その第１導光部材側端部が基端部２１ａと当接して締結されている。つまり、第２導光部材２２の突出部位２０ａから十分に離れた第１導光部材側端部が基端部２１ａと当接してボルト２１ｆにより締結されている。これにより、点灯時において、カメラアシスタント等により視認される第２導光部材２２の突出部位２０ａに、ボルト２１ｆ等の影が映り込むことを防止又は抑制することができる。その結果、第２導光部材２２においてより均一かつ鮮明に面発光させることができる。また、保護部材２４は第２導光部材２２の上端部及び下端部と操作パネル５５１との間において操作パネル５５１の背面側からボルト２４ｄにより締結されているが、保護部材２４は黒色樹脂で形成されているため、保護部材２４の締結用のボルト２４ｄの影が第２導光部材２２の上端部及び下端部に映り込むことはない。このように、本実施形態では、タリー表示器２０及び保護部材２４のカメラ本体２（詳しくは操作パネル５５１）への取り付け構造を工夫することにより、鮮明且つ均一な面発光を実現可能なタリー表示器２０を構成することができる。
【００５２】
また、本実施形態においては、第１導光部材２１の光透過率は、第２導光部材２２の光透過率より高い構成とした。これにより、タリー表示器２０のＬＥＤ基板として操作パネル５５１の背面から離間した第２スイッチ類基板１３を用いたことで、ＬＥＤ基板からタリー表示器２０の一端部（突出部位）２０ａまでの距離が長くなった場合であっても、ＬＥＤ基板のＬＥＤ素子２３からの光を、第１導光部材２１を介して確実に第２導光部材２２に入射させることができる。その結果、第２導光部材２２を十分な照度で発光させることができる。
【００５３】
なお、本実施形態では、一対のタリー表示器２０、２０は、上下方向に延びる構成としたが、これに限らず、図示を省略するが、互いに対向して操作パネル５５１の幅方向（左右方向）に延びている構成としてもよい。つまり、操作パネル５５１の上下の両縁部にそれぞれ設けられる構成としてもよい。これにより、ビデオカメラ装置１００の上下方向からのタリー表示器２０の視認性を更に高めることができる。一対のタリー表示器２０、２０は、操作用機器１１全体を挟むように操作パネル５５１に配置され、且つ、各タリー表示器２０の少なくとも一端部（突出部位）２０ａが操作パネル５５１から外方に突出されていればよい。また、タリー表示器２０は、操作パネル５５１の左右の両縁部又は上下の両縁部に限らず、操作パネル５５１の左右及び上下の両縁部に設けてもよい。
【００５４】
また、本実施形態では、一方（左側）のタリー表示器２０のＬＥＤ素子２３は全て緑色に発光する素子であり、他方（右側）のタリー表示器２０のＬＥＤ素子２３は全て赤色に発光する素子であるものとした。つまり、片側のタリー表示器２０のＬＥＤ素子２３は全て同色の素子であるものとしたが、これに限らず、例えば、赤色と緑色の素子を交互にアレイ状に配置し、各タリー表示器２０におけるタリー信号に応じた色のＬＥＤ素子２３を発光させることにより、片側だけでなく一対のタリー表示器２０、２０いずれをも点灯させるように構成してもよい。また、ＬＥＤ素子２３の発光色は赤色や緑色に限らず適宜選定することができる。また、本実施形態では、ＬＥＤ素子２３はアレイ状に配置するものとして説明したが、これに限らず、適宜に配列させることができる。さらに、発光源はＬＥＤ素子２３に限らず、適宜の発光源を採用することができる。
【００５５】
また、本実施形態では、タリー表示器２０の導光部材は、２分割させた場合を一例に挙げて説明したが、これに限らず、一体であってもよい。また、タリー表示器２０の操作パネル５５１への取り付け構造は操作部１０の構造に応じて適宜に構成することができる。
【００５６】
以上、本発明の好ましい実施形態について説明したが、本発明は上記実施形態に制限されるものではなく、本発明の技術的思想に基づいて種々の変形及び変更が可能である。
【符号の説明】
【００５７】
２・・・・・カメラ本体
１０・・・・操作部
１１・・・・操作用機器
１３・・・・ＬＥＤ基板（第２スイッチ類基板）
２０・・・・タリー表示器
２０ａ・・・一端部、突出部位
２１・・・・第１導光部材
２１ａ・・・基端部
２１ｂ・・・ＬＥＤ素子被覆部位
２１ｃ・・・延出部
２２・・・・第２導光部材
２２ａ・・・幅方向の各側面の一部
２２ｂ・・・板厚方向の各側面の一部
２３・・・・ＬＥＤ素子
２４・・・・保護部材（スイッチガード）
１００・・・ビデオカメラ装置
５５１・・・操作パネル（上部パネル）
【図１】
0006660261.tif 000002
【図２】
0006660261.tif 000003
【図３】
0006660261.tif 000004
【図４】
0006660261.tif 000005
【図５】
0006660261.tif 000006
【図６】
0006660261.tif 000007
【図７】
0006660261.tif 000008
【図８】
0006660261.tif 000009
【図９】
0006660261.tif 000010
【図１０】
0006660261.tif 000011
【図１１】
0006660261.tif 000012
【図１２】
0006660261.tif 000013
【図１３】
0006660261.tif 000014